(57)【要約】      （修正有）【課題】従来技術に係るディスプレイ装置の下フレームが広すぎる問題を解決するためのディスプレイ装置を提供する。【解決手段】ディスプレイスクリーン（２）と、ディスプレイスクリーンを囲むように設けられるフレーム（１）と、赤外線受信機（３）と、ライトガイド（４）とを備える。ライトガイドは固定面を有し、固定面によってフレームの外側に固定され、受信端（４２）及び出光面を備え、受信端はディスプレイスクリーンの表示側に構成されるとともに固定面の一部を露出させるようにディスプレイスクリーンに対して突出し、受信端のライトガイドが固定されたフレームに垂直な方向における幅は、出光面の方向における幅より狭く、受信端は第１の受信面及び第２の受信面を有し、第１の受信面は固定面に交差するとともにディスプレイスクリーンに平行であり、第２の受信面は反り面であり第１の受信面に交差するとともに固定面に対向する。【選択図】図４
2019070818.tif 000002
【特許請求の範囲】
【請求項１】
ディスプレイスクリーン、及び前記ディスプレイスクリーンを囲むように設けられたフレームを備えるディスプレイ装置であって、
赤外線受信機と、
固定面を有し、該固定面によって前記フレームに固定されるライトガイドと、をさらに備え、
前記ライトガイドは、受信端子及び出光面をさらに備え、前記受信端子は、前記ディスプレイスクリーンの表示側に形成され、前記受信端子の、固定されたフレームに垂直な方向における幅は、前記出光面の前記方向における幅より小さいことを特徴とするディスプレイ装置。
【請求項２】
前記ライトガイドは、前記赤外線受信機を収納するための溝を有し、前記赤外線受信機は、前記ライトガイドの前記出光面に向くように固定されることを特徴とする請求項１に記載のディスプレイ装置。
【請求項３】
前記受信端子は、赤外線制御信号を受信するための第１の受信面及び第２の受信面を有し、前記第１の受信面は前記ディスプレイスクリーンの表示側に平行であり、前記第２の受信面は前記第１の受信面に交差するとともに前記固定面に対向することを特徴とする請求項１又は２に記載のディスプレイ装置。
【請求項４】
前記受信端子は、赤外線制御信号を前記赤外線受信機に伝送するように、前記赤外線制御信号を受信してその伝送方向を変え、且つ前記ライトガイドの前記フレームに固定される固定表面と、固定表面に対向する表面との間の距離は、前記受信端子から前記出光面への方向に、段々大きくなることを特徴とする請求項３に記載のディスプレイ装置。
【請求項５】
前記受信端子の底面は弧面であることを特徴とする請求項１〜４のいずれか一項に記載のディスプレイ装置。
【請求項６】
前記受信端子の底面は平面であり、且つ前記受信端子の底面と前記受信端子の上端面との間の夾角が３０°〜７０°であることを特徴とする請求項１〜４のいずれか一項に記載のディスプレイ装置。
【請求項７】
前記ライトガイドは透明材料からなることを特徴とする請求項１〜６のいずれか一項に記載のディスプレイ装置。
【請求項８】
前記透明材料は、ガラス、樹脂、ポリメタクリル酸メチル又はプラスチックであることを特徴とする請求項７に記載のディスプレイ装置。
【請求項９】
前記ライトガイドの固定面は、前記フレームに貼り付けられることを特徴とする請求項１〜８のいずれか一項に記載のディスプレイ装置。
【請求項１０】
前記ライトガイドは、ねじによって前記フレームに固定されることを特徴とする請求項１〜８のいずれか一項に記載のディスプレイ装置。
【請求項１１】
前記赤外線受信機は、ねじによって前記溝内に固定されることを特徴とする請求項２〜１０のいずれか一項に記載のディスプレイ装置。
【請求項１２】
前記赤外線受信機は、前記溝内に貼り付けられることを特徴とする請求項２〜１０のいずれか一項に記載のディスプレイ装置。
【発明の詳細な説明】
【技術分野】
【０００１】
本発明はディスプレイ技術に関し、特に、ディスプレイ装置に関する。
【背景技術】
【０００２】
リモートコントロール技術は、現在、家庭用電気器具で普遍に採用される技術になっている。赤外線リモコンは、様々なリモートコントロール技術においてよく使われている技術である。例えば、テレビのリモートコントロールは、一般的に、赤外線リモートコントロールである。赤外線制御信号は、光信号の１種として、方向性を有する。使用する際、赤外線リモートコントロールは赤外線受信機と同一の直線上にある必要がある。
【０００３】
図１及び図２は、従来技術のディスプレイ装置を示す。図１は、従来技術に係るディスプレイ装置の構造概略図であり、図２は、図１に示すディスプレイ装置をＡ方向から見たときの構造概略図である。ディスプレイ装置は、ディスプレイスクリーン０１と、ディスプレイスクリーン０１の周辺に設けられる不透明なフレーム０２と、不透明なフレーム０２の底面に設けられ、厚みが、不透明なフレームの厚みと同じであるライトガイド０３と、ライトガイド０３の入射面０３１に対向して設けられた赤外線受信機０４と、を備える。当然ながら、図３に示すように、ライトガイド０３が不透明なフレーム内に設けられる他のディスプレイ装置もある。
【０００４】
上述した２種類のディスプレイ装置では、使用する際、赤外線受信機０４が赤外線リモートコントロールからの赤外線制御信号を受信するように、赤外線リモートコントロールからの赤外線制御信号がライトガイド０３を介して赤外線受信機０４に伝送される。
【発明の概要】
【発明が解決しようとする課題】
【０００５】
本発明の発明者は、上記の２種類のディスプレイ装置では、下フレームに突起があったり、フレームが広すぎたりするため、ディスプレイ装置のフレームをさらに狭くすることができないという問題を見つけた。
【課題を解決するための手段】
【０００６】
本発明は、従来技術に係るディスプレイ装置の下フレームが広すぎる問題を解決するためのディスプレイ装置を提供する。
【０００７】
本発明は、上述した技術的課題を解決するために、以下の技術案を提供する。
【０００８】
ディスプレイスクリーンと、前記ディスプレイスクリーンを囲むように設けられたフレームとを備えるディスプレイ装置であって、
赤外線受信機及びライトガイドをさらに備え、
前記ライトガイドは、固定面を有し、該固定面によって、前記フレームに固定され、前記ライトガイドは、受信端子及び出光面をさらに有し、前記受信端子は、前記ディスプレイスクリーンの表示側に形成され、前記受信端子の、固定されたフレームに垂直な方向における幅は、前記出光面の、該方向における幅より狭い。
【０００９】
前記受信端子は、第１の受信面及び第２の受信面を備え、第１の受信面は、前記固定面に交差するとともに前記ディスプレイスクリーンに平行であり、第２の受信面は、第１の受信面に交差するとともに前記固定面に対向するが、前記ディスプレイスクリーンに平行ではない。
【００１０】
本発明の１つの実施例によれば、前記ライトガイドは、前記赤外線受信機を収納するための溝を有し、前記赤外線受信機は、前記ライトガイドの出光面に向く。
【００１１】
前記受信端子は、赤外線制御信号を前記赤外線受信機に伝送するように、前記赤外線制御信号を受信してその伝送方向を変え、且つ前記第２の受信面と前記固定面との間の距離は、前記フレームに垂直な方向に、前記第１の受信面から前記出光面へと、段々大きくなってもよい。
【００１２】
前記第２の受信面は弧面であってもよい。
【００１３】
前記第２の受信面は平面であり、且つ前記第２の受信面と前記受信端子の固定面との間の夾角が３０°〜７０°であってもよい。
【００１４】
前記ライトガイドは透明材料からなってもよい。
【００１５】
前記透明材料は、ガラス、樹脂、ポリメタクリル酸メチル又はプラスチックであってもよい。
【００１６】
前記固定面は前記フレームに貼り付けられてもよい。
【００１７】
前記ライトガイドは、ねじによって前記フレームに固定されてもよい。
【００１８】
前記赤外線受信機は、ねじによって前記溝内に固定されてもよい。
【００１９】
前記赤外線受信機は前記溝内に貼り付けられてもよい。
【発明の効果】
【００２０】
本発明に係るディスプレイ装置は、ライトガイドの受信端子を設置することで赤外線制御信号の伝送方向を変えることによって、赤外線受信機の設置位置を後方へ移動した場合（即ち、ディスプレイ装置の裏面に接近するように移動する）にも、赤外線受信機は赤外線制御信号を同様に受信でき、フレームに垂直な方向における受信端子の幅は、ライトガイドの出光面の該方向における幅より狭いため、人の目がディスプレイスクリーンを見るとき、ライトガイドの狭い部分のみが見える。従って、本発明に係るディスプレイ装置は、ディスプレイ装置の狭いフレームの表示効果を向上させる。
【００２１】
以下、本発明の実施例の技術案をさらに明確に説明するために、本発明の実施例の図面を簡単に説明する。下記の図面は、当然ながら、本発明の実施例の一部のみに関し、本発明を限定するものではない。
【図面の簡単な説明】
【００２２】
【図１】従来技術に係るディスプレイ装置の構造概略図である。
【図２】図１に示すディスプレイ装置をＡ方向から見た場合の構造概略図である。
【図３】従来技術に係る他のディスプレイ装置の構造概略図である。
【図４】本発明の実施例に係る第１のディスプレイ装置の構造概略図である。
【図５】本発明の実施例に係る第２のディスプレイ装置の構造概略図である。
【図６】本発明の実施例に係る第１のディスプレイ装置におけるライトガイドは、受信端子内での光路図である。
【発明を実施するための形態】
【００２３】
以下、本発明の実施例の目的、技術案及び利点をさらに明確にするように、図面を参照しながら、本発明の実施例の技術案を明確かつ完全に説明する。下記の実施例は、当然ながら、本発明の実施例の一部であり、全ての実施例ではない。本発明の実施例に基づき、当業者が創造的労働をしない前提で得られる全ての他の実施例は、いずれも本発明の保護範囲に入る。
【００２４】
図４は、本発明実施例に係る第１のディスプレイ装置の構造概略図である。図４に示すように、このディスプレイ装置は、ディスプレイスクリーン２と、ディスプレイスクリーン２の周辺に設けられたフレーム１とを備え、赤外線受信機３及びライトガイド４をさらに備え、ライトガイドは、固定面４０を有し、固定面４０によってフレーム１に固定され、ライトガイド４は、受信端子４２及び出光面をさらに備え、受信端子は、ディスプレイスクリーンの表示側に形成され、受信端子の、固定されたフレームに垂直な方向における幅は、上記の出光面の、この方向における幅より狭い。
【００２５】
実際には、ライトガイドをフレーム１の底面に設置することが典型的であるが、ライトガイドをフレームの他の面、例えば、頂面又は側面に設置してもよい。フレーム１の底面は、ディスプレイ装置が図４に示す方向に置かれる場合の底面である。
【００２６】
本発明の実施例に係るライトガイドの受信端子は、第１の受信面及び第２の受信面を備え、第１の受信面は、ライトガイドの固定面に交差するとともにディスプレイスクリーンの表示側に平行であり、第２の受信面は、第１の受信面に交差するとともに固定面に対向する。
【００２７】
ここで、受信端子４２は、図４に示すように置かれる場合、人の目に向く面が第１の受信面であり、ライトガイドが固定面によってフレームに固定され、第１の受信面に交差するとともに固定面に対向する面が第２の受信面である。
【００２８】
本発明の実施例に係るディスプレイ装置は、ライトガイド４の受信端子４２の第１の受信面及び第２の受信面で赤外線制御信号を受信してその伝送方向を変化させることによって、赤外線受信機３が赤外線制御信号を受信することができることを前提としながら、赤外線受信機３の設置位置を後方へ移動する（即ち、ディスプレイ装置の裏面に接近するように移動する）ことができるようになり、且つ受信端子の、固定されたフレームに垂直な方向における幅が、上記の出光面の該方向における幅より狭いため、ディスプレイスクリーンの正面から見るとき、ライトガイド４の狭い部分（即ち、受信端子４２の第１の受信面）のみが見えるようになる。
従って、本発明に係るディスプレイ装置は、ディスプレイ装置の狭いフレームの表示効果を向上させた。
【００２９】
さらに、赤外線受信機３に便利に信号を受信させるように、受信端子４２は、赤外線制御信号を赤外線受信機３に伝送するために、赤外線制御信号を受信してその伝送方向を変化させ、且つ受信端子４２の第２の受信面と、受信端子の固定面との間の距離は、固定されたフレームに垂直な方向において段々大きくなる。
【００３０】
受信端子４２の具体的な構造は、以下のような複数の形態を有する。
【００３１】
図４に示すように、本実施例では、受信端子４２の第２の受信面は弧面である。当然ながら、弧面の形状は、図２に示す湾曲形状に限らない。第２の受信面の弧面は、人の目から見ると、ライトガイド４の最も狭い部分（即ち、第１の受信面）のみが見え、且つ受信端子４２が受信した赤外線制御信号を赤外線受信機３に伝送することができればよい。
【００３２】
図５は、本発明の実施例に係る第２のディスプレイ装置の構造概略図である。図５に示すように、この実施例では、受信端子４２の第２の受信面は平面であり、且つ受信端子４２の第２の受信面と受信端子４２の固定面との間の夾角は３０°〜７０°である。例えば、該夾角は、３０°、４０°、５０°、６０°、７０°等であってもよい。ここで、一つ一つ贅言しない。
【００３３】
以下、受信端子４２内の光路が容易に理解できるように、図４に示す構造のディスプレイ装置を例として、図６を併せて、受信端子４２内の光路を説明する。図６は、本発明の実施例に係る第１のディスプレイ装置におけるライトガイドの受信端子内の光路図である。以下、光路を便利に説明するために、第２の受信面４２１、固定面４２２及び出光面４２３のそれぞれに対応する第１の界面、第２の界面、第３の界面という技術用語を導入する。
【００３４】
図６に示すように、リモートコントロールからの赤外線が第１の受信面４２０に垂直に入射する場合、即ち、図６に示す第１の入射光線ｂのような場合、第１の入射光線ｂは、屈折又は反射せずに、直接に赤外線受信機３に入る。リモートコントロールからの赤外線が受信端子４２の第２の受信面４２１に入射する場合、即ち、図６に示す第２の入射光線ｃの場合、第２の入射光線ｃは、第１の界面（即ち、第２の受信面４２１）で１回目に屈折されてから第２の界面（即ち、固定面４２２）に照射し、且つ第２の界面で１回目に反射された後、第１の界面（即ち、第２の受信面４２１）に再び照射し、第１の界面（即第２の受信面４２１）で２回目に反射されてから第３の界面（即ち、出光面４２３）に照射し、最後に、第３の界面（即ち、出光面４２３）で２回目に屈折されてから赤外線受信機３に入射する。
【００３５】
赤外線の利用率を向上するために、第２の入射光線ｂの第２の界面４２２及び第１の界面４２１での１回目の反射及び２回目の反射は、全て全反射であることが好ましい。
【００３６】
全反射とは、光が光学的に密な（即ち、光がこの媒体で屈折率が大きい）媒体から光学的に疎らな（即ち、光がこの媒体での屈折率が小さい）媒体の界面へ入射するとき、全てが元の媒体内に反射される現象である。
【００３７】
リモートコントロールからの赤外線が受信端子４２に入らず、外界の媒体の表面（例えば地面、テーブルの表面等）に入射する場合、即ち、図６に示す第３の入射光線ｄである場合、第３の入射光線ｄは、媒体の表面で１回目に反射されてから第１の界面（即ち、第２の受信面４２１）に入射し、第１の界面で１回目に屈折されてから第３の界面（即ち、出光面４２３）に入射し、最後に、第３の界面で２回目に屈折されてから赤外線受信機３に入射する。
【００３８】
当然ながら、入射光線の角度は複数あり、以上の３つの伝送方式に限らない。然し、原理としては、いずれも光線が受信端子内で反射又は／屈折（垂直に入射する光線以外）された後、赤外線受信機に入射するのである。本発明は、３つの代表性を有する光線の伝送方式を挙げて説明したが、他の角度の入射光線が受信端子内での伝送方向について、一つ一つ贅言しない。
【００３９】
光線が便利に伝送されるように、上述した構造のライトガイドは、透明材料からなる。さらに、透明材料は、ガラス、樹脂、ポリメタクリル酸メチル又はプラスチックである。当然ながら、透明材料は上述した材料に限らず、ここで、一つ一つ贅言しない。ライトガイドの材料はポリメタクリル酸メチルであり、屈折率が１.４９であると、入射角度が４２.２°以上の光線のすべてが全反射される。
【００４０】
ライトガイド４の固定面は、フレーム１の底面に貼り付けられてもよいし、ライトガイド４は、ねじによってフレーム１に固定されてもよい。当然ながら、ライトガイド４及びフレーム１は、バックル及びバヨネットによって固定されてもよい。バヨネットがフレーム１の固定面に設置され、バックルがライトガイド４に設置されてもよいし、バックルがフレーム１の固定面に設置され、バヨネットがライトガイド４に設置されてもよい。ここで、ライトガイド４及びフレーム１の固定方式を一つ一つ贅言しない。
【００４１】
赤外線受信機３は、ねじによって溝４１内に固定されてもよいし、赤外線受信機３は溝４１内に貼り付けられてもよい。当然ながら、赤外線受信機３及び溝４１は、バックル及びバヨネットによって固定されてもよい。バヨネットが赤外線受信機３に設置され、バックルが溝４１内に設置されてもよいし、バックルが赤外線受信機３に設置され、バヨネットが溝４１内に設置されてもよい。ここで、赤外線受信機３と溝４１との固定方式を一つ一つ贅言しない。
【００４２】
本発明の実施例に係るディスプレイ装置は、液晶テレビであってもよいし、他の赤外線リモコンを必要とするディスプレイ装置であってもよい。ここで、一つ一つ贅言しない。
【００４３】
以上は、本発明の例示的な実施例であり、本発明の保護範囲を限定するものではない。本発明の保護範囲は特許請求の範囲に基づく。
【符号の説明】
【００４４】
１  フレーム
２  ディスプレイスクリーン
３  赤外線受信機
４  ライトガイド
４０  固定面
４１  溝
４２  受信端子
０１  ディスプレイスクリーン
０２  フレーム
０３  ライトガイド
０４  赤外線受信機
４２０  第１の受信面
４２１  第２の受信面
４２２  固定面
４２３  出光面
０３１  入射面
【図１】
2019070818.tif 000003
【図２】
2019070818.tif 000004
【図３】
2019070818.tif 000005
【図４】
2019070818.tif 000006
【図５】
2019070818.tif 000007
【図６】
2019070818.tif 000008
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
ディスプレイスクリーン、及び前記ディスプレイスクリーンを囲むように設けられたフレームを備えるディスプレイ装置であって、
赤外線受信機と、
固定面を有し、該固定面によって前記フレームの外側に固定されるライトガイドと、をさらに備え、
前記ライトガイドは、受信端及び出光面をさらに有し、前記受信端は、前記ディスプレイスクリーンの表示側に構成されるとともに前記固定面の一部を露出させるように前記ディスプレイスクリーンに対して突出し、前記受信端の、固定されるフレームに垂直な方向における幅は、前記出光面の前記方向における幅より小さく、
前記受信端は、第１の受信面及び第２の受信面を有し、前記第１の受信面は前記固定面に交差するとともに前記ディスプレイスクリーンに平行であり、前記第２の受信面は反り面であり前記第１の受信面に交差するとともに前記固定面に対向することを特徴とするディスプレイ装置。
【請求項２】
前記ライトガイドは、前記赤外線受信機を収納するための溝を有し、前記赤外線受信機は、前記ライトガイドの前記出光面に向くように固定されることを特徴とする請求項１に記載のディスプレイ装置。
【請求項３】
前記受信端は、赤外線制御信号を前記赤外線受信機に伝送するように、前記赤外線制御信号を受信してその伝送方向を変え、且つ前記ライトガイドの前記フレームに固定される固定表面と、固定表面に対向する表面との間の距離は、前記受信端から前記出光面への方向に、段々大きくなることを特徴とする請求項１に記載のディスプレイ装置。
【請求項４】
前記ライトガイドは透明材料からなることを特徴とする請求項１〜３のいずれか一項に記載のディスプレイ装置。
【請求項５】
前記透明材料は、ガラス、樹脂、ポリメタクリル酸メチル又はプラスチックであることを特徴とする請求項４に記載のディスプレイ装置。
【請求項６】
前記ライトガイドの固定面は、前記フレームに貼り付けられることを特徴とする請求項１〜４のいずれか一項に記載のディスプレイ装置。
【請求項７】
前記ライトガイドは、ねじによって前記フレームに固定されることを特徴とする請求項１〜４のいずれか一項に記載のディスプレイ装置。
【請求項８】
前記赤外線受信機は、ねじによって前記溝内に固定されることを特徴とする請求項２〜７のいずれか一項に記載のディスプレイ装置。
【請求項９】
前記赤外線受信機は、前記溝内に貼り付けられることを特徴とする請求項２〜７のいずれか一項に記載のディスプレイ装置。
【手続補正２】
【補正対象書類名】明細書
【補正対象項目名】全文
【補正方法】変更
【補正の内容】
【発明の詳細な説明】
【技術分野】
【０００１】
本発明はディスプレイ技術に関し、特に、ディスプレイ装置に関する。
【背景技術】
【０００２】
リモートコントロール技術は、現在、家庭用電気器具で普遍に採用される技術になっている。赤外線リモコンは、様々なリモートコントロール技術においてよく使われている技術である。例えば、テレビのリモートコントロールは、一般的に、赤外線リモートコントロールである。赤外線制御信号は、光信号の１種として、方向性を有する。使用する際、赤外線リモートコントロールは赤外線受信機と同一の直線上にある必要がある。
【０００３】
図１及び図２は、従来技術のディスプレイ装置を示す。図１は、従来技術に係るディスプレイ装置の構造概略図であり、図２は、図１に示すディスプレイ装置をＡ方向から見たときの構造概略図である。ディスプレイ装置は、ディスプレイスクリーン０１と、ディスプレイスクリーン０１の周辺に設けられる不透明なフレーム０２と、不透明なフレーム０２の底面に設けられ、厚みが、不透明なフレームの厚みと同じであるライトガイド０３と、ライトガイド０３の入射面０３１に対向して設けられた赤外線受信機０４と、を備える。当然ながら、図３に示すように、ライトガイド０３が不透明なフレーム内に設けられる他のディスプレイ装置もある。
【０００４】
上述した２種類のディスプレイ装置では、使用する際、赤外線受信機０４が赤外線リモートコントロールからの赤外線制御信号を受信するように、赤外線リモートコントロールからの赤外線制御信号がライトガイド０３を介して赤外線受信機０４に伝送される。
【発明の概要】
【発明が解決しようとする課題】
【０００５】
本発明の発明者は、上記の２種類のディスプレイ装置では、下フレームに突起があったり、フレームが広すぎたりするため、ディスプレイ装置のフレームをさらに狭くすることができないという問題を見つけた。
【課題を解決するための手段】
【０００６】
本発明は、従来技術に係るディスプレイ装置の下フレームが広すぎる問題を解決するためのディスプレイ装置を提供する。
【０００７】
本発明は、上述した技術的課題を解決するために、以下の技術案を提供する。
【０００８】
ディスプレイスクリーンと、前記ディスプレイスクリーンを囲むように設けられたフレームとを備えるディスプレイ装置であって、
赤外線受信機及びライトガイドをさらに備え、
前記ライトガイドは、固定面を有し、該固定面によって、前記フレームの外側に固定され、前記ライトガイドは、受信端及び出光面をさらに有し、前記受信端は、前記ディスプレイスクリーンの表示側に構成されるとともに前記固定面の一部を露出させるように前記ディスプレイスクリーンに対して突出し、前記受信端の、固定されるフレームに垂直な方向における幅は、前記出光面の、該方向における幅より狭く、
前記受信端は、第１の受信面及び第２の受信面を有し、前記第１の受信面は前記固定面に交差するとともに前記ディスプレイスクリーンに平行であり、前記第２の受信面は反り面であり前記第１の受信面に交差するとともに前記固定面に対向する。
【０００９】
本発明の１つの実施例によれば、前記ライトガイドは、前記赤外線受信機を収納するための溝を有し、前記赤外線受信機は、前記ライトガイドの出光面に向く。
【００１０】
前記受信端は、赤外線制御信号を前記赤外線受信機に伝送するように、前記赤外線制御信号を受信してその伝送方向を変え、且つ前記第２の受信面と前記固定面との間の距離は、前記フレームに垂直な方向に、前記第１の受信面から前記出光面へと、段々大きくなってもよい。
【００１１】
前記ライトガイドは透明材料からなってもよい。
【００１２】
前記透明材料は、ガラス、樹脂、ポリメタクリル酸メチル又はプラスチックであってもよい。
【００１３】
前記固定面は前記フレームに貼り付けられてもよい。
【００１４】
前記ライトガイドは、ねじによって前記フレームに固定されてもよい。
【００１５】
前記赤外線受信機は、ねじによって前記溝内に固定されてもよい。
【００１６】
前記赤外線受信機は前記溝内に貼り付けられてもよい。
【発明の効果】
【００１７】
本発明に係るディスプレイ装置は、受信端が固定面の一部を露出させるようにディスプレイスクリーンに対して突出するように構成されることにより、固定面の露出した部分に赤外線制御信号が入射することができ、これにより、赤外線制御信号がライトガイドに入射する角度範囲及び赤外線受信機により受信される赤外線制御信号の量が増加する。このため、赤外線リモコンからの赤外線制御信号が赤外線受信機により受信されることがより容易になるので、容易な制御が実現される。さらに、フレームに垂直な方向における受信端の幅は、ライトガイドの出光面の該方向における幅より狭いため、人の目がディスプレイスクリーンを見るとき、ライトガイドの狭い部分のみが見え、赤外線受信機は見えない。従って、本発明に係るディスプレイ装置は、ディスプレイ装置の狭いフレームの表示効果を向上させる。
【００１８】
以下、本発明の実施例の技術案をさらに明確に説明するために、本発明の実施例の図面を簡単に説明する。下記の図面は、当然ながら、本発明の実施例の一部のみに関し、本発明を限定するものではない。
【図面の簡単な説明】
【００１９】
【図１】従来技術に係るディスプレイ装置の構造概略図である。
【図２】図１に示すディスプレイ装置をＡ方向から見た場合の構造概略図である。
【図３】従来技術に係る他のディスプレイ装置の構造概略図である。
【図４】本発明の実施例に係る第１のディスプレイ装置の構造概略図である。
【図５】本発明の実施例に係る第２のディスプレイ装置の構造概略図である。
【図６】本発明の実施例に係る第１のディスプレイ装置におけるライトガイドは、受信端内での光路図である。
【発明を実施するための形態】
【００２０】
以下、本発明の実施例の目的、技術案及び利点をさらに明確にするように、図面を参照しながら、本発明の実施例の技術案を明確かつ完全に説明する。下記の実施例は、当然ながら、本発明の実施例の一部であり、全ての実施例ではない。本発明の実施例に基づき、当業者が創造的労働をしない前提で得られる全ての他の実施例は、いずれも本発明の保護範囲に入る。
【００２１】
図４は、本発明実施例に係る第１のディスプレイ装置の構造概略図である。図４に示すように、このディスプレイ装置は、ディスプレイスクリーン２と、ディスプレイスクリーン２の周辺に設けられたフレーム１とを備え、赤外線受信機３及びライトガイド４をさらに備え、ライトガイドは、固定面４０を有し、固定面４０によってフレーム１の外側に固定され、ライトガイド４は、受信端４２及び出光面をさらに備え、受信端は、ディスプレイスクリーンの表示側に構成されるとともに固定面の一部を露出させるようにディスプレイスクリーンに対して突出する。受信端は、第１の受信面及び第２の受信面を有し、第１の受信面は固定面に交差するとともにディスプレイスクリーンに平行であり、第２の受信面は反り面であり第１の受信面に交差するとともに固定面に対向し、受信端の、固定されたフレームに垂直な方向における幅は、上記の出光面の、この方向における幅より狭い。
【００２２】
実際には、ライトガイドをフレーム１の底面に設置することが典型的であるが、ライトガイドをフレームの他の面、例えば、頂面又は側面に設置してもよい。フレーム１の底面は、ディスプレイ装置が図４に示す方向に置かれる場合の底面である。
【００２３】
本発明の実施例に係るディスプレイ装置は、ライトガイド４の受信端４２の第１の受信面及び第２の受信面で赤外線制御信号を受信してその伝送方向を変化させることによって、赤外線受信機３が赤外線制御信号を受信することができることを前提としながら、赤外線受信機３の設置位置を後方へ移動する（即ち、ディスプレイ装置の裏面に接近するように移動する）ことができるようになり、且つ受信端の、固定されたフレームに垂直な方向における幅が、上記の出光面の該方向における幅より狭いため、ディスプレイスクリーンの正面から見るとき、ライトガイド４の狭い部分（即ち、受信端４２の第１の受信面）のみが見えるようになる。
従って、本発明に係るディスプレイ装置は、ディスプレイ装置の狭いフレームの表示効果を向上させた。
【００２４】
さらに、赤外線受信機３に便利に信号を受信させるように、受信端４２は、赤外線制御信号を赤外線受信機３に伝送するために、赤外線制御信号を受信してその伝送方向を変化させ、且つ受信端４２の第２の受信面と、受信端の固定面との間の距離は、固定されたフレームに垂直な方向において段々大きくなる。さらに、受信端がディスプレイスクリーンに対して突出し、固定面の一部が露出するので、赤外線制御信号がライトガイドに入射する角度範囲及び赤外線受信機により受信される赤外線制御信号の量が増加する。
【００２５】
受信端４２の具体的な構造は、以下のような複数の形態を有する。
【００２６】
図４に示すように、本実施例では、受信端４２の第２の受信面は弧面である。当然ながら、弧面の形状は、図２に示す湾曲形状に限らない。第２の受信面の弧面は、人の目から見ると、ライトガイド４の最も狭い部分（即ち、第１の受信面）のみが見え、且つ受信端４２が受信した赤外線制御信号を赤外線受信機３に伝送することができればよい。
【００２７】
図５は、本発明の実施例に係る第２のディスプレイ装置の構造概略図である。図５に示すように、この実施例では、受信端４２の第２の受信面は平面であり、且つ受信端４２の第２の受信面と受信端４２の固定面との間の夾角は３０°〜７０°である。例えば、該夾角は、３０°、４０°、５０°、６０°、７０°等であってもよい。ここで、一つ一つ贅言しない。
【００２８】
以下、受信端４２内の光路が容易に理解できるように、図４に示す構造のディスプレイ装置を例として、図６を併せて、受信端４２内の光路を説明する。図６は、本発明の実施例に係る第１のディスプレイ装置におけるライトガイドの受信端内の光路図である。以下、光路を便利に説明するために、第２の受信面４２１、固定面４２２及び出光面４２３のそれぞれに対応する第１の界面、第２の界面、第３の界面という技術用語を導入する。
【００２９】
図６に示すように、リモートコントロールからの赤外線が第１の受信面４２０に垂直に入射する場合、即ち、図６に示す第１の入射光線ｂのような場合、第１の入射光線ｂは、屈折又は反射せずに、直接に赤外線受信機３に入る。リモートコントロールからの赤外線が受信端４２の第２の受信面４２１に入射する場合、即ち、図６に示す第２の入射光線ｃの場合、第２の入射光線ｃは、第１の界面（即ち、第２の受信面４２１）で１回目に屈折されてから第２の界面（即ち、固定面４２２）に照射し、且つ第２の界面で１回目に反射された後、第１の界面（即ち、第２の受信面４２１）に再び照射し、第１の界面（即第２の受信面４２１）で２回目に反射されてから第３の界面（即ち、出光面４２３）に照射し、最後に、第３の界面（即ち、出光面４２３）で２回目に屈折されてから赤外線受信機３に入射する。
【００３０】
赤外線の利用率を向上するために、第２の入射光線ｂの第２の界面４２２及び第１の界面４２１での１回目の反射及び２回目の反射は、全て全反射であることが好ましい。
【００３１】
全反射とは、光が光学的に密な（即ち、光がこの媒体で屈折率が大きい）媒体から光学的に疎らな（即ち、光がこの媒体での屈折率が小さい）媒体の界面へ入射するとき、全てが元の媒体内に反射される現象である。
【００３２】
リモートコントロールからの赤外線が受信端４２に入らず、外界の媒体の表面（例えば地面、テーブルの表面等）に入射する場合、即ち、図６に示す第３の入射光線ｄである場合、第３の入射光線ｄは、媒体の表面で１回目に反射されてから第１の界面（即ち、第２の受信面４２１）に入射し、第１の界面で１回目に屈折されてから第３の界面（即ち、出光面４２３）に入射し、最後に、第３の界面で２回目に屈折されてから赤外線受信機３に入射する。
【００３３】
赤外線がライトガイドの露出した部分からライトガイドに入る場合、赤外線は、第２の受信面に伝送され、次いで固定面へ全反射され、次いで第２の受信面へ反射され、最後に赤外線受信機３へ全反射される。
【００３４】
当然ながら、入射光線の角度は複数あり、以上の４つの伝送方式に限らない。然し、原理としては、いずれも光線が受信端内で反射又は／屈折（垂直に入射する光線以外）された後、赤外線受信機に入射するのである。本発明は、４つの代表性を有する光線の伝送方式を挙げて説明したが、他の角度の入射光線が受信端内での伝送方向について、一つ一つ贅言しない。
【００３５】
光線が便利に伝送されるように、上述した構造のライトガイドは、透明材料からなる。さらに、透明材料は、ガラス、樹脂、ポリメタクリル酸メチル又はプラスチックである。当然ながら、透明材料は上述した材料に限らず、ここで、一つ一つ贅言しない。ライトガイドの材料はポリメタクリル酸メチルであり、屈折率が１.４９であると、入射角度が４２.２°以上の光線のすべてが全反射される。
【００３６】
ライトガイド４の固定面は、フレーム１の底面に貼り付けられてもよいし、ライトガイド４は、ねじによってフレーム１に固定されてもよい。当然ながら、ライトガイド４及びフレーム１は、バックル及びバヨネットによって固定されてもよい。バヨネットがフレーム１の固定面に設置され、バックルがライトガイド４に設置されてもよいし、バックルがフレーム１の固定面に設置され、バヨネットがライトガイド４に設置されてもよい。ここで、ライトガイド４及びフレーム１の固定方式を一つ一つ贅言しない。
【００３７】
赤外線受信機３は、ねじによって溝４１内に固定されてもよいし、赤外線受信機３は溝４１内に貼り付けられてもよい。当然ながら、赤外線受信機３及び溝４１は、バックル及びバヨネットによって固定されてもよい。バヨネットが赤外線受信機３に設置され、バックルが溝４１内に設置されてもよいし、バックルが赤外線受信機３に設置され、バヨネットが溝４１内に設置されてもよい。ここで、赤外線受信機３と溝４１との固定方式を一つ一つ贅言しない。
【００３８】
本発明の実施例に係るディスプレイ装置は、液晶テレビであってもよいし、他の赤外線リモコンを必要とするディスプレイ装置であってもよい。ここで、一つ一つ贅言しない。
【００３９】
以上は、本発明の例示的な実施例であり、本発明の保護範囲を限定するものではない。本発明の保護範囲は特許請求の範囲に基づく。
【符号の説明】
【００４０】
１  フレーム
２  ディスプレイスクリーン
３  赤外線受信機
４  ライトガイド
４０  固定面
４１  溝
４２  受信端
０１  ディスプレイスクリーン
０２  フレーム
０３  ライトガイド
０４  赤外線受信機
４２０  第１の受信面
４２１  第２の受信面
４２２  固定面
４２３  出光面
０３１  入射面
【手続補正３】
【補正対象書類名】図面
【補正対象項目名】図４
【補正方法】変更
【補正の内容】
【図４】
2019070818.tif 000009
【外国語明細書】
2019070818000001.pdf